(57)【特許請求の範囲】
【請求項１】
複数枚のスラットを一枚板状に連結して構成したシャッターカーテンが巻装される巻取りドラムを左右ブラケットで支持するように構成した建築用シャッター装置において、スラットが左右方向に位置ズレしたことを検知するための位置ズレ検知装置を、前記ブラケットの内側面に設けた配線と、該配線が左右方向に位置ズレしたスラットにより切断されたことを検知する位置ズレ検知回路とを備えて構成したことを特徴とする建築用シャッター装置におけるスラットの位置ズレ検知装置。
【請求項２】
配線は、一本状の配線であることを特徴とする請求項１記載の建築用シャッター装置におけるスラットの位置ズレ検知装置。
【請求項３】
配線はフレキシブルプリント配線シートに設けられたものであり、該プリント配線シートがブラケット内面に貼着されることを特徴とする請求項１または２記載の建築用シャッター装置におけるスラットの位置ズレ検知装置。
【請求項４】
建築用シャッター装置は、駆動が電動式であり、自己復帰型の開閉停止の操作スイッチを備え、開閉スイッチをＯＮ操作した場合に、シャッターカーテンが全閉、全開になるか停止スイッチが操作されるまで開閉作動を自己保持するための自己保持回路を備えたものであり、位置ズレ検知回路は、配線が切断された場合に、自己保持回路を遮断するための検知用スイッチ手段を備えていることを特徴とする請求項１乃至３の何れか１記載の建築用シャッター装置におけるスラットの位置ズレ検知装置。
【請求項５】
位置ズレ検知回路には、自己保持回路が自己保持状態になったことに連繋して電源投入するための電源用スイッチ手段が設けられていることを特徴とする請求項４記載の建築用シャッター装置におけるスラットの位置ズレ検知装置。
【発明の詳細な説明】
【技術分野】
【０００１】
本発明は、建築用シャッター装置においてシャッターカーテンを構成するスラットが左右方向に位置ズレしたことを検知するための建築用シャッター装置におけるスラットの位置ズレ検知装置に関するものである。
【背景技術】
【０００２】
一般に、建物の出入り口等の開口部を開閉するために設けられる建築用シャッター装置は、シャッターカーテンが巻取りドラムに巻き取られ、巻き出されることにより開口部の開閉をするように構成されているが、シャッターカーテンの開閉作動を繰り返していると、シャッターカーテンの巻取りドラムに対する巻き姿勢が左右に位置ズレすることがある。この位置ズレが大きくなると、巻取りドラムを支持しているブラケットに位置ズレしたスラットが当接することがあり、こうなるとシャッターカーテンの開閉作動時に異音が発生すると共に、円滑な開閉作動が損なわれ、ひどい時には位置ズレしたスラットの端部によりブラケットを傷つけてしまうという問題がある。
そこでブラケット内面に、スラットが左右方向に位置ズレしたことの異常を検知をするための位置ズレ検知装置を設けたものが知られている（例えば特許文献１、２参照）。
【先行技術文献】
【特許文献】
【０００３】
【特許文献１】実用新案登録第２５４５１３１号公報
【特許文献２】特開２００５-１６０５８号公報
【発明の概要】
【発明が解決しようとする課題】
【０００４】
ところが前記従来の位置ズレ検知装置は、ブラケットの内面にマイクロスイッチを突出する状態で設ける構成にしていたから、位置ズレ検知装置のブラケット内面からの突出量が大きく、この結果、ブラケットと巻取りドラムに巻装されるシャッターカーテンとの間隔を、位置ズレ検知装置が突出する分、広く確保する必要があってシャッターカーテンの左右幅が狭くなる（開口部の間口幅が狭くなる）という問題があるだけでなく、このような間隔が確保されていない既存のものには後付けすることができないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、複数枚のスラットを一枚板状に連結して構成したシャッターカーテンが巻装される巻取りドラムを左右ブラケットで支持するように構成した建築用シャッター装置において、スラットが左右方向に位置ズレしたことを検知するための位置ズレ検知装置を、前記ブラケットの内側面に設けた配線と、該配線が左右方向に位置ズレしたスラットにより切断されたことを検知する位置ズレ検知回路とを備えて構成したことを特徴とする建築用シャッター装置におけるスラットの位置ズレ検知装置である。
請求項２の発明は、配線は、一本状の配線であることを特徴とする請求項１記載の建築用シャッター装置におけるスラットの位置ズレ検知装置である。
請求項３の発明は、配線はフレキシブルプリント配線シートに設けられたものであり、該プリント配線シートがブラケット内面に貼着されることを特徴とする請求項１または２記載の建築用シャッター装置におけるスラットの位置ズレ検知装置である。
請求項４の発明は、建築用シャッター装置は、駆動が電動式であり、自己復帰型の開閉停止の操作スイッチを備え、開閉スイッチをＯＮ操作した場合に、シャッターカーテンが全閉、全開になるか停止スイッチが操作されるまで開閉作動を自己保持するための自己保持回路を備えたものであり、位置ズレ検知回路は、配線が切断された場合に、自己保持回路を遮断するための検知用スイッチ手段を備えていることを特徴とする請求項１乃至３の何れか１記載の建築用シャッター装置におけるスラットの位置ズレ検知装置である。
請求項５の発明は、位置ズレ検知回路には、自己保持回路が自己保持状態になったことに連繋して電源投入するための電源用スイッチ手段が設けられていることを特徴とする請求項４記載の建築用シャッター装置におけるスラットの位置ズレ検知装置である。
【発明の効果】
【０００６】
請求項１の発明とすることにより、位置ズレしたスラットにより切断される配線をブラケット内面に設けるだけで良いことになって、マイクロスイッチを設ける場合のように配設スペースの確保が不要で、既存のものであっても問題なく設けることができる。
請求項２の発明とすることにより、スラットの位置ズレ検知が１本の配線でできることになって構造が簡単で設置も容易になる。
請求項３の発明とすることにより、ブラケットの内面に配線を設けることが、肉薄なフレキシブルプリント配線シートの貼着で良いことになる結果、簡単になるだけでなく、幅方向にスペースがないものであっても設けることができることになって既存のものにも採用することができ、配設作業が多様化されることになる。
請求項４の発明とすることにより、建築用シャッター装置が電動式であるものにおいて位置ズレ検知がなされた場合、開閉作動を持続するための自己保持回路が遮断されるため、シャッターカーテンの開閉作動は、開閉スイッチをＯＮ操作し続けなければ実行されないことになり、これによって異常が発生したことの認識ができるうえ、取り敢えずの開閉作動ができることになる。
請求項５の発明とすることにより、位置ズレ検知回路への電源投入が、シャッターカーテンが開閉作動しているときだけとなって節電を図れることになる。
【図面の簡単な説明】
【０００７】
【図１】電動式の建築用シャッター装置の正面図である。
【図２】ブラケット部位の正面図である。
【図３】ブラケット部位の内側面図である。
【図４】位置ズレ検知回路の回路図である。
【図５】駆動回路の回路図である。
【図６】他例を示すブラケット部位の内側面図である。
【発明を実施するための形態】
【０００８】
以下、本発明の実施の形態について、図面に基づいて説明する。図面において、１は建築用のシャッター装置であって、該シャッター装置１は、開口部の開閉をするためのシャッターカーテン２、該シャッターカーテン２を巻装するための巻取りドラム３、該巻取りドラム３から巻き出されるシャッターカーテン２の開閉ガイドをすべく開口部の左右に設けられるガイドレール４、前記巻取りドラム３を支持すべく開口部の天井部位に設けられる左右ブラケット５等の各種の部材装置により構成されていること等は何れも従来通りである。
因みに、本発明は重量シャッター装置、軽量シャッター装置、グリルシャッター装置等の各種のシャッター装置の何れにも採用することができ、また開閉の駆動方式として電動式、手動式を問わないものであることは言うまでもない。
【０００９】
前記シャッターカーテン２は、複数枚のスラット２ａを一枚板状に連結することで形成されるが、そのうち吊元端側のスラット２ａが吊り金具（本実施の形態では短く切ったスラット２ａを３枚連結したものを採用している。従って図面ではスラット２ａが一連状に連結した図面になっている。）６を介して巻取りドラム３に連結される。
そして本実施の形態では、ブラケット５がガイドレール４のレール溝部４ａよりも左右方向幅広位置に位置するため、左右位置ズレの検知対象となるスラット２ａは、全体のスラット２ａのうち吊元側のスラット２ａの何枚かは、シャッターカーテン２が全閉状態になってもシャッターケース７のシャッターカーテン２が繰り出されるマグサ部８よりも上側（巻取りドラム３側）にあってシャッターケース７内に残るものがあり、このような吊元側のスラット２ａが左右方向に位置ズレすることで巻き姿勢に異常が発生することがある。この場合に、左右方向の位置ズレが大きくなってスラット２ａがブラケット５の内面に当接すると、開閉作動時にスラット２ａがブラケット５の内面に摺接することになって異音が発生すると共に、摺動抵抗が発生して円滑な開閉作動が損なわれ、さらにはブラケット５の内面を傷付けるという問題がある。
【００１０】
そこでブラケット５の内面に、吊元側のスラット２ａが左右に位置ズレしたことを検知するための位置ズレ検知装置の構成部材であるフレキシブルなプリント配線シート９が用いられるが、該プリント配線シート９は、接着剤又は両面粘着テープ等の貼着材を介してブラケット５の内面に貼着されている。本実施の形態の位置ズレ検知装置では、プリント配線シート９にＵ字形をした１本状の配線９ａが埋設されている。この配線９ａは、シャッターカーテン２が全閉した際に少なくともシャッターケース７内に残る吊元側スラット２ａの移動軌跡に対向するようブラケット５に設けられていればよく、特にシャッターケース７内に残る吊元側のスラット２ａは、巻取りドラム３の近傍位置で回転することになるから、この回転位置に対応する位置に配することが好適である。
因みに、ガイドレール４のレール溝部４ａとブラケット５とが殆ど面一状になる設定のものにあっては、まぐさ部８から繰出されるスラット２ａの位置ズレ検知もすることができることは言うまでもない。その場合に配線９ａとしては、単純にＵ字形にしたものでなく、シャッターカーテン２の巻き形状に対応した適宜の形状にすることができる。つまり配線９ａは、少なくとも巻取りドラム３の外径から全開時のシャッターカーテン２の巻き径Ｋまでの範囲でブラケット５に設けることが好ましく、例えば図６に示す他例のように、少なくともこの範囲に亘る状態でブラケット５の全域に設けることにより、ブラケット５の歪みや傾斜、配線９ａの取付け精度等に対応したスラット２ａの位置ズレ検知ができることになる。
【００１１】
前記配線９ａは、リード線１０を介して引出されて電源（例えばＤＣ１２Ｖ、２４Ｖ）１１に接続される。リード線１０には抵抗１２と位置ズレ検知用リレースイッチ１３とが接続され、これによって位置ズレ検知回路１６が構成されるが、該位置ズレ検知用リレースイッチ１３のスイッチ接点（Ｒｙ）１３ａはシャッター装置１が電動式である場合に、後述するように、その駆動回路の自己保持回路１５ｄに設けられていて位置ズレ検知した場合に自己保持回路１５ｄを遮断するようになっている。
因みに本実施の形態では、後述する開閉用リレースイッチＲＹＵ、ＲＹＤのスイッチ接点ＲＹＵ、ＲＹＤが位置ズレ検知回路１６に並列接続されており、これによって位置ズレ検知回路１６には、自己保持状態で電動モータＭが開閉作動しているときのみ電源投入されることになって節電が図れるようになっている。
【００１２】
図５は電動式シャッター装置１の典型的な駆動回路１５であって、開閉機Ａに設けられる電動モータＭ、ブレーキＢが三相２００Ｖの電源に接続されている一方、自己復帰型の押しボタン式の開閉停止スイッチ１４Ｕ、１４Ｄ、１４Ｓが設けられる回路が前記駆動回路１５に設けられているが、操作スイッチ１４の一つを構成する停止スイッチ１４Ｓが設けられる停止回路１５ａは、開放スイッチ１４Ｕが設けられる開放回路１５ｂ、閉鎖スイッチ１４ｄが設けられる閉鎖回路１５ｃ、そして自己保持回路１５ｄに分岐されている。開放回路１５ｂには開放用リレースイッチＲＹＵと全開検知スイッチＬＳＵとが設けられ、閉鎖回路１５ｃには閉鎖用リレースイッチＲＹＤと全閉検知スイッチＬＳＤとが設けられている。また自己保持回路１５ｄはさらに、開放回路１５ｂに対して開放スイッチ１４Ｕと開放用リレースイッチＲＹＵとのあいだで接続される開放側回路１５ｅと、閉鎖回路１５ｃに対して閉鎖スイッチ１４Ｄと閉鎖用リレースイッチＲＹＤとのあいだで接続される閉鎖側回路１５ｆとを備えている。開放側回路１５ｅには開放用リレースイッチＲＹＵのスイッチ接点ＲＹＵが設けられ、閉鎖側回路１５ｆには閉鎖用リレースイッチＲＹＤのスイッチ接点ＲＹＤが設けられている。さらに電動モータＭ、ブレーキＢの電源回路にも開閉用リレースイッチＲＹＵ、ＲＹＤのスイッチ接点ＲＹＵ、ＲＹＤが設けられている。
【００１３】
そして開放スイッチ１４ＵをＯＮ操作した場合に、開放用リレースイッチＲＹＵに電源投入がなされてスイッチ接点ＲＹＵが切換わり、これによって電動モータＭが開作動すると共に、自己保持回路１５ｄの開放側回路１５ｅが自己保持されることになって、開放スイッチ１４ＵがＯＦＦになっても停止スイッチ１４ＳをＯＦＦ操作するか、全開検知スイッチＬＳＵが全開検知をするまで開放作動が自己保持されるようになっており、これは閉鎖作動についても同様になっている。
【００１４】
このような回路構成において、前記位置ズレ検知用リレースイッチ１３のスイッチ接点１３ａは、自己保持回路１５ｄに設けられている。そして前述したようにスラット２ａが左右方向に位置ズレして配線９ａを切断すると、位置ズレ検知用リレースイッチ１３への電源投入が途絶えることでそのスイッチ接点１３ａがＯＦＦとなり、これによって自己保持回路１５ｄへの電源投入が遮断されて自己保持が解除された状態になり、これによって開閉スイッチ１４Ｕ、１４ＤをＯＮ操作し続けない（押しきり操作）ときには開閉作動が停止するようになっている。
【００１５】
叙述の如く構成された本実施の形態において、シャッターカーテン２を構成するスラット２ａのうちの吊元側のスラット２ａが左右方向に位置ズレしたことを検知するものが、巻取りドラム３を支持するブラケット５の内側面に設けた配線９ａでよいことになる結果、従来のマイクロスイッチを設けるもののように配設スペースをいちいち確保する必要がない。このため、配設スペースのない既存のシャッター装置であっても簡単に設けることができるうえ、配線９ａの取付け作業も簡略化されることになって作業性が向上する。
【００１６】
しかもこの位置ズレ検知をするための配線９ａは一本状のものでよいため、構造が簡単で、設置も簡単になる。しかもこのものでは、フレキシブルなプリント配線シート９に設けられたものであるため、配線９ａを設けることが、プリント配線シート９のシート面をブラケット５内面に貼着すればよいことになって簡単かつ確実になるうえ、幅方向にスペースがないものであっても設けることができることになって既存のものにも採用することができ、配設作業が多様化され、作業性の向上が図れることになる。
【００１７】
そのうえ位置ズレ検知がなされるスラット２ａは、シャッターカーテン２が全閉となったとき、シャッターカーテン２の出入り口となるまぐさ部８よりも巻取りドラム５側の吊元側のものであるため、通常では目視することができない吊元側スラットの位置ズレ検知が確実にできることになる。
【００１８】
また本実施の形態の建築用シャッター装置１は、駆動が電動式であり、そして自己復帰型の開閉停止用のスイッチ１４Ｕ、１４Ｄ、１４Ｓを備え、開閉スイッチ１４Ｕ、１４ＤをＯＮ操作した場合に、開閉スイッチ１４Ｕ、１４Ｄが自己復帰してＯＦＦになったとしても、シャッターカーテン２が全閉、全開になるか停止スイッチ１４Ｓが操作されるまで開閉作動を自己保持するための自己保持回路１５ｄを備えたものであるが、このものにおいて、前記配線９ａが位置ズレしたスラット２ａにより切断された場合に、自己保持回路１５ｄに設けられた位置ズレ検知用リレースイッチ１３のスイッチ接点１３ａがＯＦＦになって自己保持回路１５ｄを遮断することになり、この結果、開閉機Ａを構成する電動モータＭは、開閉スイッチ１４Ｕ、１４ＤをＯＮ操作し続けないと開閉作動をしないことになって、何らかの異常が発生したことをスイッチ操作者に認識させることができることになってサービスマンコールをする等の異常対策を促進すると共に、当面のシャッターカーテン２の開閉作動はできることになる。
【００１９】
しかもこのものでは、位置ズレ検知回路１６には、自己保持させるための開閉用リレースイッチＲＹＵ、ＲＹＤのスイッチ接点ＲＹＵ、ＲＹＤが並列接続されている結果、これらスイッチ接点ＲＹＵ、ＲＹＤが位置ズレ検知回路１６への電源投入をするため電源用スイッチ手段となり、このため位置ズレ検知回路１６への電源投入が、シャッターカーテン２が自己保持状態で開閉作動しているときだけとなって節電が図れることになる。
【００２０】
尚、本発明は前記実施の形態に限定されないものであることは勿論であって、フレキシブルプリント配線シートに限定されるものではなく、例えば裸状の配線を設けたものであってもよく、また配線の形状としては、一本状（一筆書き状）のものであればどのような形状であっても実施できることは言うまでもない。また配線の切断によるスラットの位置ズレ検知がなされた場合、非常灯の点灯やブザーの吹鳴等による異常報知をするよう報知手段を設けることもできる。
【産業上の利用可能性】
【００２１】
本発明は、開口部の開閉をする建築用シャッター装置におけるスラットの位置ズレ検知装置として利用することができる。
【符号の説明】
【００２２】
１  シャッター装置
２  シャッターカーテン
２ａ  スラット
３  巻取りドラム
５  ブラケット
７  シャッターケース
８  まぐさ部
９  フレキシブルプリント配線シート
９ａ  配線
１３  位置ズレ検知用リレースイッチ
１３ａ  スイッチ接点
１４  操作スイッチ
１４Ｕ  開放スイッチ
１４Ｄ  閉鎖スイッチ
１４Ｓ  停止スイッチ
１５  駆動回路
１５ｄ  自己保持回路
１６  位置ズレ検知回路
ＲＹＵ  開放用リレースイッチ及びそのスイッチ接点
ＲＹＤ  閉鎖用リレースイッチ及びそのスイッチ接点
【図１】
0006498067.tif 000002
【図２】
0006498067.tif 000003
【図３】
0006498067.tif 000004
【図４】
0006498067.tif 000005
【図５】
0006498067.tif 000006
【図６】
0006498067.tif 000007